【事件の表示】
　特願２００５−２４８３１４「携帯端末、コンテンツサーバ、その制御プログラム、コンテンツ提供および広告提供サービスシステム」拒絶査定不服審判事件〔平成１９年　３月１５日出願公開、特開２００７−　６７５７６〕について、次のとおり審決する。
【結　論】
　本件審判の請求は、成り立たない。
【理　由】
第１．手続の経緯
　本願は、平成１７年　８月２９日の出願であって、平成２２年　８月３１日付けで平成２２年　５月３１日付けの手続補正について補正の却下の決定がなされるとともに同日付けで拒絶査定がなされ、これに対し、平成２２年１２月　６日付けで審判請求がなされるとともに同日付けで手続補正がなされたものである。
　
第２．補正却下の決定
［結論］
　　平成２２年１２月　６日付けの手続補正を却下する。
　
［理由］
１．本願発明と補正後の発明
　平成２２年１２月　６日付けの手続補正（以下、「本件補正」という。）は、平成２１年　９月　７付けの手続補正書の特許請求の範囲の請求項１、３、５〜１３を削除し、同特許請求の範囲に記載された
「【請求項２】
　自己の外観に対応する固有のパネル別デザイン統一用データを格納したパネル別デザイン統一用データ格納部を備えた外装パネルと、
　この外装パネルから前記パネル別デザイン統一用データを読み出すデータ読出手段と、
　このデータ読出手段によって読み出した前記パネル別デザイン統一用データを少なくとも用いて装置の前記外装パネル以外のデザインを前記データ読出手段の読み出しの対象となった前記外装パネルに適合させるデザイン統一手段とを備えた装置本体
とを具備することを特徴とする携帯端末。」
という発明（以下、「本願発明２」という。）及び
「【請求項４】
　前記パネル別デザイン統一用データは、少なくとも通信ネットワーク上のアドレスを含んでおり、前記装置本体は、そのアドレスにアクセスすることで前記装置本体のデザインをこの装置本体に装着される外装パネルに適合させる情報を補完するネットワークアクセス手段を更に具備することを特徴とする請求項１または請求項２記載の携帯端末。」
という発明（以下、「本願発明４」という。）を
「【請求項１】
　
自己の装置の装着対象となる特定装置の外観に対応する固有のパネル別デザイン統一用データを格納したパネル別デザイン統一用データ格納部を備えた外装パネルと、
　
この外装パネルから前記パネル別デザイン統一用データを読み出すデータ読出手段と、
このデータ読出手段によって読み出した前記パネル別デザイン統一用データを少なくとも用いて前記特定装置のデザインを前記データ読出手段の読み出しの対象となった前記外装パネルに適合させるデザイン統一手段とを備えた前記特定装置としての装置本体
とを具備することを特徴とする携帯端末。
という発明（以下、「補正後の発明１」という。）及び
「【請求項２】
　自己の外観に対応する
データであって少なくとも特定の接続先のＵＲＬ（Uniform Resource Locator）を含んだ
　この外装パネルから前記パネル別デザイン統一用データを読み出すデータ読出手段と、
このデータ読出手段によって読み出した前記パネル別デザイン統一用データ
に含まれる前記ＵＲＬを使用してネットワーク上の特定のサーバに送出するネットワークアクセス手段と、このネットワークアクセス手段によって前記特定のサーバから取得した前記外装パネルに適合させる情報を補完する情報を
とを具備することを特徴とする携帯端末。」
という発明（以下、「補正後の発明２」という。）に補正するものである。（当審注：アンダーラインは補正箇所を示す。）
　
２．補正の適否
（１）新規事項の有無、補正の目的要件
　本件補正の補正後の発明１に関し、請求人は審判請求書において、本願発明２の「自己の外観」を補正後の発明１において「
自己の装置の装着対象となる特定装置の外観
　同様に、請求人は、本願発明２の「装置の前記外装パネル以外のデザイン」を補正後の発明１において「
前記特定装置のデザイン
　しかしながら、補正後の発明１の「自己の装置」及び「特定装置」という用語は、本願明細書中の特許請求の範囲の記載そのものが記載された段落であって、本件補正によって補正された【００１６】以外には記載されておらず、該「自己の装置」が「外装パネル自体」を指し、該「特定装置」が「装置本体」を指すことは、審判請求書の請求人の主張以外からは理解できないものである。
　そして、本願発明２の「自己の外観」という用語については、出願当初の特許請求の範囲の【請求項３】、明細書【００１８】及び【００１９】に記載されており、同【００１９】の「すなわち本発明では、外観の異なる外装パネルそれぞれが自己の外観に対応するパネル別感覚表現用データを格納している。」との記載から、「自己の外観」は「外装パネルの外観」を指すものと解釈することができる。
　すると、本件補正により本願発明２の「自己の外観に対応する」を補正後の発明１において「
自己の装置の装着対象となる特定装置の外観に対応する
　また、請求人は、平成２２年　８月３１日付けで補正却下された平成２２年　５月３１日付けの手続補正書により本願発明２の「自己の外観」を「自己の装置本体の外観」と補正していることから、本件補正により同一の表現を有する補正後の発明２の「自己の外観」は「自己の装置本体の外観」とも解釈できるが、その場合、本件補正により補正後の発明１の「
自己
自己
　さらに、本件補正により本願発明２の「装置の前記外装パネル以外のデザイン」を補正後の発明１において「
前記特定装置のデザイン
　したがって、本件補正は、請求人が審判請求書において主張する具体化による表現の明確化及び正確な表現とすることを目的とするものとは認められず、本件補正は、請求項の削除、特許請求の範囲の減縮、誤記の訂正及び明りょうでない記載の釈明のいずれにも該当しない。
　
３．結語
　以上のとおり、本件補正は、願書に最初に添付した明細書、特許請求の範囲又は図面に記載した事項の範囲内においてなされたものであったとしても、請求項の削除、特許請求の範囲の減縮、誤記の訂正及び明りょうでない記載の釈明のいずれにも該当しない補正を含むものであり、平成１８年法律第５５号改正附則第３条第１項によりなお従前の例によるとされる同法による改正前の特許法第１７条の２第４項（補正の目的）の規定に違反している。
　したがって、本件補正は、特許法第１５９条第１項において読み替えて準用する同法第５３条第１項の規定により却下すべきものである。
　
第３．本願発明について
１．本願発明
　平成２２年１２月　６日付けの手続補正は上記のとおり却下されたので、本願発明は、平成２１年　９月　７日付け手続補正書に記載された特許請求の範囲の請求項１に記載された以下のとおりのものと認められる。
「【請求項１】
　装置本体に対して着脱自在な複数の外装パネルの中から１つを選択してその識別情報を読み出す識別情報読出手段と、
　この識別情報読出手段によって読み出された識別情報を予め定めたコンテンツサーバに送信する識別情報送信手段と、
　この識別情報送信手段の送信に対して前記コンテンツサーバがその識別情報に対応する外装パネルの外観に他の外装パネルの外観よりもデザインが統一するものとして予め用意されたパネル別デザイン統一用データを受信するパネル別デザイン統一用データ受信手段と、
　このパネル別デザイン統一用データ受信手段の受信した前記パネル別デザイン統一用データを用いて前記装置本体のデザインをこの装置本体に装着される外装パネルに適合させるデザイン統一手段
とを具備することを特徴とする携帯端末。」
　
２．引用発明
　原査定の拒絶理由に引用された特表２００３−５３３１３４号公報（以下、「引用例」という。）には、「携帯無線通信装置用取外し可能なハウジングカバー」として、図面とともに以下の事項が記載されている。
　
イ．「 【０００１】
（技術分野）
  本発明は、携帯無線通信装置に係り、特に携帯無線通信装置用の取外し可能なカバーに関する。
・・・（中　略）・・・ 
      【０００３】
  この背景技術に対して、本発明は、携帯無線通信装置に分離可能に接続できるように取付けられた取外し可能なハウジングカバーと、関連したＩＤ手段を有する取外し可能なカバーと、取外し可能なカバーのＩＤ手段を検知するセンサと装置の操作特性を制御するプロセッサとを有する携帯無線通信装置と、使用時に、取外し可能なカバーが携帯無線通信装置に取付けられ、センサがＩＤ手段を検知し、検知されたＩＤ手段のパラメータをプロセッサに出力するような構成を提供する。プロセッサは携帯無線通信装置の操作特性中から選択されたものを変更するために検知されたパラメータに応答する。
      【０００４】
  言い換えると、本発明は、携帯無線通信装置の取外し可能なハウジングカバーを備えており、この取外し可能なハウジングカバーは携帯無線通信装置のある操作特性に関連している。この取外し可能なカバーが携帯無線通信装置に取付けられると、取外し可能なカバーに関連した操作特性に従って携帯無線通信装置の操作特性を再構成するように適合する。
      【０００５】
  本発明により、携帯無線通信装置のユーザは電話機の外観を変えるだけでなく、装置の操作特性をも自分自身で変更することが可能であり、いずれも、あるハウジングカバーと他の異なるハウジングカバーとは容易に交換することが可能である。つまり、異なる取外し可能なハウジングカバーには異なる携帯無線通信装置の関連した操作特性があり、カバーを交換することによって、ユーザは新しい交換可能なハウジングカバーに従って、携帯無線通信装置の操作特性を変えることができる。これにより、携帯電話など、ユーザの携帯無線通信装置の独自化感やオーダーメイド感を増大させる。
      【０００６】
  好適な実施の形態として、取外し可能なカバーとカバーに関連した構成ソフトウェアとの間で共有した一貫したリンクやテーマがある。このように、電話機に完全な単一のユーザインターフェースを伝えるためにハウジングカバーと構成ソフトウェアとが互いに結合するので、ハウジングカバーからハウジングカバーへと携帯電話の“個性”を完全に変えることができる。つまり、本発明は、音声および／又はグラフィックスなどの電話機の操作特性の態様を異なる電話機カバーと関連させることが可能である。
      【０００７】
  一般的な条件として、本発明で行われるアプローチは以下の通りである。取外し可能なハウジングカバーは、特徴的なＩＤ機能の形式でいくつかのＩＤ手段を備える。ユーザがユーザインターフェースを変えたいと望むと、ユーザは現在電話機に取付けられたハウジングカバーを、例えば取外し可能な取付け手段を用いて取外す。この取付け手段は、上記の取外し可能な取付けの態様を参照した出願人の特許に記載されており、参考のために参照する。そして、ユーザが電話機に新しく取付けたいハウジングカバーが電話機の上に置かれ、所定の位置に固定され、再び取外し可能な取付け手段が用いられる。一旦位置が定まると、取外し可能なハウジングカバーの特徴的なＩＤ機能は、電話機に取付けられたセンサリーダに登録される。センサが取外し可能なハウジングカバーの特徴的なＩＤ機能を読込むと（例えば、電話機がパワーアップ、又は、単に電話機がカバーの変化を検知すると）、電話機の操作特性が取外し可能なハウジングカバーの特徴的なＩＤ機能と一致して変化することができる。
      【０００８】
  例えば、ユーザはお気に入りの音楽バンドの取外し可能なハウジングカバーを購入することができる。取外し可能なハウジングカバーはバンドのロゴなど、バンドに関連したグラフィックスが印刷されおり、ユーザのお気に入りの音楽バンドを描写するために電話機の外観を変更することができる。電話機にハウジングカバーを接続すると、電話機は音楽バンドに関連した態様に従って様々な操作特性を変えることができる。たとえば、スタートアップメニューにバンドのロゴが入っていたり、着信音にバンドのヒット曲の一つが鳴る。ユーザインターフェースはその結果、ユーザの音楽的趣味を反映するために十分に適合され、音楽バンドの完全で単一の視覚的で操作可能なインターフェースを提供する。」（６〜８頁）
　
ロ．「     【００１０】
  図１は、携帯電話機用取外し可能なカバー２の本発明の実施例を示す。取外し可能なカバー２は、外に面する表面にグラフィックスやその他の表示が印刷されている。この実施例において、取外し可能なカバー２は携帯電話機の前カバーである。もちろん、他の実施例において、取外し可能なカバーは電話機の後カバーでもよい。特定のテーマに完全な視覚的な援助をするため、前後カバーのどちらも携帯電話機に取外し可能に取付けることができ、前後カバーのどちらの場合でも当該の特定のテーマに関するグラフィックスを保持することができる。これらは、参考のため参照する出願人の係属中のイギリス特許出願番号９９０３２６０．９に開示したように、取外し可能な取付けの態様が電話機に取外し可能に取付けられ、図１及び図２で３０〜３４及び２７〜２９の番号で示した補足的な結合間の接続部分を備えている。このように、電話機全体の外観はテーマを反映する。
      【００１１】
  取外し可能なカバーは、特徴的なＩＤ機能形式のＩＤ手段を備えている。ある形式において、特徴的なＩＤ機能は、特定の取外し可能なカバーと結合したデータを伝えるメモリチップパッチに存在する。特徴的なＩＤ機能の他の形式は、後に記述する。メモリチップは、図１の参照番号２０に図示されているように製造中に取外し可能なカバーの内面に内蔵されていて、図示されたように２つか、それ以上か、もしくは１つだけある。
      【００１２】
  新しい取外し可能なカバーが電話機に取付けられ、所定の位置に固定されると、取外し可能なハウジングカバーのメモリチップパッチは、電話機の場合、図２の参照番号２２に示されたリーダ形式のセンサを使って登録される。このリーダは取外し可能なハウジングカバーのメモリチップパッチを検知し、データ読込みを進行する。つまり、（特徴的なＩＤ機能により提供された）アナログ又はデジタル入力が、電話機に取付けられたカバーのタイプを感知（リーダにより行なわれる）させるために提供される。
      【００１３】
  この実施例において、リーダは特徴的なＩＤ機能と取外し可能なハウジングカバーの確実な所定のパラメータとを伝えるメモリチップを読込み、携帯電話のコントローラ／プロセッサにデータを転送する。このデータの転送は、取外し可能なハウジングカバーの特徴的なＩＤ機能と一致して変化した電話機の操作特性となる。操作特性は、主として着信音やスタンバイ、ウェイクアップアニメーションなどのセットアップに関する電話機の面を意味するが、必ずしもこれに限定されるわけではない。これらは、限定されない方法で以下のことを含む。
      【００１４】
１．着信音及び呼出し音
  例えば、カバーを変えることで有効な着信音や可聴呼出し音を変える。
２．アニメーション／スクリーンセーバー
  例えば、カバーを変えることで入手可能なグラフィックスを変える。
３．モード（マナー、バッグなど）
  例えば、カバーを変えることで電話機をサイレントモードにしたり、バイブレーション呼出しのみに設定する。
４．ブックマーク、ブラウザプリファランス
  例えば、カバーを変えることでユーザのブラウザサービスに関連したブックマークを変える。
５．電話メモリプリファランス
  例えば、カバーを変えることで入手可能な電子電話番号帳を変える。
６．ゲーム又はゲームエレメント、レベル、より多くのプレーヤー、消耗アイテム（例えば、銃弾など）の補充。
      【００１５】
  このように、取外し可能なカバーは、外部の視覚的／機械的な特性をサポートするために電話機の内部の操作（又は行動）特性の態様を構成する。取外し可能なカバーを変えれば、内部構成も変えることができる。特徴的なＩＤ機能の他の形式や、カバーＩＤの検知に関連した方法は以下のことを含む。
１．取外し可能なカバーの内部面に備えられ、内部に伸張しているメカニカルペグ。使用中のペグは、それぞれのペグの有無が所定のカバーのオプションを許可するように電話機の表面にあるスイッチを押す。例えば、スイッチを押すカバー上の１つのペグは、２つのタイプのカバー／電話機の構成を与えることができる。同様にして、２つのペグは４つのタイプの構成を備えることができる。
２．アナログ・デジタル変換入力を供給する電話機の分圧器に関連する取り外し可能なカバーに備えられた抵抗センサ。」（８〜１０頁）
　
ハ．「      【００１６】
・・・（中　略）・・・
  上記に挙げたそれぞれの例は本質的に異なるレベルの複雑さや性能を有する。
  さらに、携帯電話に異なる内部構成（例えば、操作特性）を可能にするため、本発明が提供する多くの異なる方法がある。
・・・（中　略）・・・
     【００１９】
  他の構成として、内部構成は、インターネットウェブサイトなどの離れたサーバ／ネットワークから検索／ダウンロードされることが可能である。この構成において、特徴的なＩＤ機能はカバーから読取られ、インターネットウェブサイトに送信される。応答として、インターネットウェブサイトは取外し可能なカバーに関連した新しい内部構成を携帯電話にダウンロードする。つまり、ユーザが取外し可能なカバーを変えると、取付けられた特定の取外し可能なカバーと調和する新しい内部構成を備えるために自動ダウンロードが（例えばＷＡＰを使って）実行される。
      【００２０】
  この構成において、取外し可能なカバーと電話機との間のデータを読込み、転送する始動方法は、インターネットウェブサイトが指示する。この構成は、ウェブサイトで利用可能な場合、例えば、日常的な場合でも、インターネットウェブサイトからアップロードさせるため、カバーＩＤが電話機に新しい構成を引き出す。ダウンロードは電話機製造者サーバから、又は、オペレータやコンテントプロバイダなど、当該の取外し可能なカバーを供給する第三者のサーバから行うことが可能である。
  したがって、前述の音楽バンドの例において、音楽バンドに関連する取外し可能なカバーを取付けると、ユーザがバンドのウェブサイトにアクセスすることや、音楽をダウンロードすることも可能になる。」（１０〜１２頁）
　
　上記引用例の記載及び図面ならびにこの分野の技術常識を考慮すると、上記ロ．【００１０】及び図１、２から、引用例には「携帯電話機」の構造として「装置本体４」と「取り外し可能なハウジングカバー２」が記載され、同イ．【０００５】の「本発明により、携帯無線通信装置のユーザは電話機の外観を変えるだけでなく、装置の操作特性をも自分自身で変更することが可能であり、いずれも、あるハウジングカバーと他の異なるハウジングカバーとは容易に交換することが可能である。」及び同【０００８】の「例えば、ユーザはお気に入りの音楽バンドの取外し可能なハウジングカバーを購入することができる。取外し可能なハウジングカバーはバンドのロゴなど、バンドに関連したグラフィックスが印刷されおり、ユーザのお気に入りの音楽バンドを描写するために電話機の外観を変更することができる。」との記載から、「ハウジングカバー２」は複数の中から選択された１つであることは明らかである。
　上記イ．【０００７】の「・・・取外し可能なハウジングカバーは、特徴的なＩＤ機能の形式でいくつかのＩＤ手段を備える。・・・」及び同ロ．【００１１】の「取外し可能なカバーは、特徴的なＩＤ機能形式のＩＤ手段を備えている。ある形式において、特徴的なＩＤ機能は、特定の取外し可能なカバーと結合したデータを伝えるメモリチップパッチに存在する。・・・」という記載から、引用例の「取外し可能なハウジングカバー２」は「メモリチップパッチ」に「ＩＤ機能」としてＩＤ情報を有することは明らかである。
　上記イ．【０００７】の「・・・取外し可能なハウジングカバーの特徴的なＩＤ機能は、電話機に取付けられたセンサリーダに登録される。センサが取外し可能なハウジングカバーの特徴的なＩＤ機能を読込むと・・・」及び同ロ．【００１２】「・・・取外し可能なハウジングカバーのメモリチップパッチは、電話機の場合、図２の参照番号２２に示されたリーダ形式のセンサを使って登録される。このリーダは取外し可能なハウジングカバーのメモリチップパッチを検知し、データ読込みを進行する。つまり、（特徴的なＩＤ機能により提供された）アナログ又はデジタル入力が、電話機に取付けられたカバーのタイプを感知（リーダにより行なわれる）させるために提供される。」という記載から、「携帯電話機」は「メモリチップパッチ」を読み込みＩＤ情報を読み出す手段を有することが明らかである。
　上記ハ．【００１９】の「他の構成として、内部構成は、インターネットウェブサイトなどの離れたサーバ／ネットワークから検索／ダウンロードされることが可能である。この構成において、特徴的なＩＤ機能はカバーから読取られ、インターネットウェブサイトに送信される。・・・」という記載から、引用例の「携帯電話機」はＩＤ情報を読み出す手段により「取外し可能なハウジングカバー」から読み出したＩＤ情報を「サーバ」に送信する手段を有することは明らかである。
　上記ハ．【００１９】の「・・・応答として、インターネットウェブサイトは取外し可能なカバーに関連した新しい内部構成を携帯電話にダウンロードする。つまり、ユーザが取外し可能なカバーを変えると、取付けられた特定の取外し可能なカバーと調和する新しい内部構成を備えるために自動ダウンロードが（例えばＷＡＰを使って）実行される。」という記載から、引用例の「携帯電話機」はＩＤ情報の送信に対する応答として「サーバ」から「取付けられた特定の取外し可能なハウジングカバーと調和する」「内部構成」に関するデータを受信する手段を有するものと認められる。
　上記ハ．【００２０】の「ダウンロードは電話機製造者サーバから、又は、オペレータやコンテントプロバイダなど、当該の取外し可能なカバーを供給する第三者のサーバから行うことが可能である。」という記載から、引用例の「取外し可能なハウジングカバー」から読み出したＩＤ情報を送信する「サーバ」は「取外し可能なカバー」を提供する者の「サーバ」であるから、予め定められた「サーバ」といえる。
　上記ハ．【００１６】の「・・・携帯電話に異なる内部構成（例えば、操作特性）を可能にするため、・・・」という記載から、引用例の「内部構成」は「携帯電話機」の「操作特性」であって、同イ．【０００６】の「・・・本発明は、音声および／又はグラフィックスなどの電話機の操作特性の態様を異なる電話機カバーと関連させることが可能である。」、同【０００８】の「・・・電話機にハウジングカバーを接続すると、電話機は音楽バンドに関連した態様に従って様々な操作特性を変えることができる。たとえば、スタートアップメニューにバンドのロゴが入っていたり、・・・」及び同ロ．の「【００１３】・・・操作特性は、主として着信音やスタンバイ、ウェイクアップアニメーションなどのセットアップに関する電話機の面を意味するが、必ずしもこれに限定されるわけではない。・・・【００１５】・・・取外し可能なカバーは、外部の視覚的／機械的な特性をサポートするために電話機の内部の操作（又は行動）特性の態様を構成する。・・・」という記載から、引用例において「操作特性」は「携帯電話機」の「装置本体」で表示される文字や画像のデザインを含むものと認められる。
　上記イ．【０００８】の「・・・ユーザはお気に入りの音楽バンドの取外し可能なハウジングカバーを購入することができる。取外し可能なハウジングカバーはバンドのロゴなど、バンドに関連したグラフィックスが印刷されおり、・・・電話機にハウジングカバーを接続すると、電話機は音楽バンドに関連した態様に従って様々な操作特性を変えることができる。たとえば、スタートアップメニューにバンドのロゴが入っていたり、・・・ユーザインターフェースはその結果、ユーザの音楽的趣味を反映するために十分に適合され、音楽バンドの完全で単一の視覚的で操作可能なインターフェースを提供する。」及び同ハ．【００１９】の「・・・ユーザが取外し可能なカバーを変えると、取付けられた特定の取外し可能なカバーと調和する新しい内部構成を備えるために自動ダウンロードが（例えばＷＡＰを使って）実行される。」という記載から、引用例の「携帯電話機」が「サーバ」から受信する「内部構成」または「操作特性」のデータによって「携帯電話機」の「装置本体」で表示される文字や画像のデザインは、「取外し可能なハウジングカバー」の外観と調和するものであることが明らかであり、引用例の「携帯電話機」が、受信した「内部構成」または「操作特性」に関するデータを用いて、文字や画像を表示する手段を有することは自明のことである。
　したがって、上記引用例には以下の発明（以下、「引用発明」という。）が記載されている。
「装置本体に対して取外し可能な複数のハウジングカバーの中の１つのハウジングカバーのＩＤ情報を読み出す手段と、
　前記読み出し手段によって読み出されたＩＤ情報を予め定められたサーバに送信する送信手段と、
　前記送信手段からの送信に応答して前記サーバが前記ＩＤ情報に対応するハウジングカバーの外観と調和した装置本体で表示される文字や画像のデザインに関するデータを受信する受信手段と、
　前記受信手段の受信した前記ハウジングカバーの外観と調和した装置本体で表示される文字や画像のデザインに関するデータを用いて文字や画像を表示する表示手段
とを具備する携帯電話機。」
　　
３．対比・判断
　本願発明と引用発明とを対比すると、引用発明の「携帯電話機」、「取外し可能な」、「ハウジングカバー」、「装置本体」は本願発明の「携帯端末」、「着脱自在な」、「外装パネル」、「装置本体」に相当する。
　そして、引用発明の「ＩＤ情報」、「送信手段」は本願発明の「識別情報」、「識別情報送信手段」に相当する。
　さらに、引用発明の「サーバ」も「文字や画像のデザインのデータ」を提供するものであるから、本願発明の「コンテンツサーバ」と実質的な差異はなく、引用発明の「送信手段からの送信に応答して」と本願発明の「識別情報送信手段（送信手段）の送信に対して」も実質的な差異はない。
　引用発明の「複数のハウジングカバーの中の１つのハウジングカバーのＩＤ情報を読み出す手段」と本願発明の「複数の外装パネルの中から１つを選択してその識別情報を読み出す識別情報読出手段」とは、いずれも「複数の外装パネル（ハウジングカバー）の中の１つの外装パネル（ハウジングカバー）の識別情報（ＩＤ情報）を読み出す手段」という点で一致する。
　さらに、引用発明の「ハウジングカバーの外観と調和した装置本体で表示される文字や画像のデザインに関するデータ」と本願発明の「外装パネルの外観に他の外装パネルの外観よりもデザインが統一するものとして予め用意されたパネル別デザイン統一用データ」とは、いずれも「外装パネル（ハウジングカバー）の外観に適合させるためのデータ」という点で一致し、引用発明の「受信手段」と本願発明の「パネル別デザイン統一用データ受信手段」もそれぞれ「受信手段」という点で一致する。
　引用発明の「ハウジングカバーの外観と調和した装置本体で表示される文字や画像のデザインに関するデータを用いて文字や画像を表示する手段」と本願発明の「パネル別デザイン統一用データを用いて前記装置本体のデザインをこの装置本体に装着される外装パネルに適合させるデザイン統一手段」は、いずれも「外装パネルの外観に適合させるためのデータを用いて前記装置本体を制御する手段」という点で一致する。
　したがって、補正後の発明と引用発明は、以下の点で一致ないし相違する。
　
　＜一致点＞
　「装置本体に対して着脱自在な複数の外装パネルの中の１つの外装パネルの識別情報を読み出す手段と、
　この識別情報読出手段によって読み出された識別情報を予め定めたコンテンツサーバに送信する識別情報送信手段と、
　この識別情報送信手段の送信に対して前記コンテンツサーバがその識別情報に対応する外装パネルに適合させるためのデータを受信する受信手段と、
　この受信手段の受信した前記外装パネルに適合させるためのデータを用いて前記装置本体を制御する手段
とを具備する携帯端末。」
　
　＜相違点＞　
（１）「複数の外装パネルの中の１つの外装パネルの識別情報を読み出す手段」に関し、本願発明は「複数の外装パネルの中から１つを選択してその識別情報を読み出す識別情報読出手段」であるのに対し、引用発明は「複数のハウジングカバーの中の１つのハウジングカバーのＩＤ情報を読み出す手段」である点。
（２）「外装パネルに適合させるためのデータ」及び「受信手段」に関し、本願発明は「外装パネルの外観に他の外装パネルの外観よりもデザインが統一するものとして予め用意されたパネル別デザイン統一用データ」及び「パネル別デザイン統一用データ受信手段」であるのに対し、引用発明では「ハウジングカバーのデザインと調和した装置本体で表示される文字や画像のデザインに関するデータ」及び「受信手段」である点。
（３）「外装パネルに適合させるためのデータを用いて前記装置本体を制御する手段」に関し、本願発明は「パネル別デザイン統一用データを用いて前記装置本体のデザインをこの装置本体に装着される外装パネルに適合させるデザイン統一手段」であるのに対し、引用発明では「ハウジングカバーの外観と調和した装置本体で表示される文字や画像のデザインに関するデータを用いて文字や画像を表示する手段」である点。
　
　まず、上記相違点（１）について検討すると、上記「２．引用発明」の項のイ．【０００５】及び【０００８】について言及したように、引用発明の「ハウジングカバー」も複数の中からユーザーが選択した１つの「ハウジングカバー」であって、同ロ．【００１５】の「・・・特徴的なＩＤ機能の他の形式や、カバーＩＤの検知に関連した方法は以下のことを含む。
１．取外し可能なカバーの内部面に備えられ、内部に伸張しているメカニカルペグ。使用中のペグは、それぞれのペグの有無が所定のカバーのオプションを許可するように電話機の表面にあるスイッチを押す。例えば、スイッチを押すカバー上の１つのペグは、２つのタイプのカバー／電話機の構成を与えることができる。同様にして、２つのペグは４つのタイプの構成を備えることができる。
２．アナログ・デジタル変換入力を供給する電話機の分圧器に関連する取り外し可能なカバーに備えられた抵抗センサ。」という記載から、引用発明において機械的または電気的に複数のハウジングカバーのいずれが取付けられたかを判別した上でＩＤ情報を取得することが示唆されている。
　すると、引用例が示唆する複数のハウジングカバーのいずれが取付けられたかを判別した上でＩＤ情報を取得することは、本願発明の「複数の外装パネルの中から１つを選択してその識別情報を読み出す」ことに相当するものであって、引用発明の「手段」を「識別情報読出手段」と称することは適宜なし得ることであるから、上記相違点（１）は引用発明に基づいて当業者が容易になし得ることである。
　次に、上記相違点（２）について検討すると、本願明細書【００５０】に「・・・それぞれ統一的な感覚表現（デザイン）となるアイコン、フォント、画面の配色、背景画面、時計表示等のデータ群をいう。・・・」及び同【００５１】に「・・・それぞれ統一的な感覚表現（デザイン）となるアイコン、フォント、画面の配色、背景画面、時計表示等のコンテンツセットを・・・」と記載されていることから、本願発明の「デザイン」は装置本体の表示部に表示される文字や画像を指すことは明らかであり、さらに、同【００５２】に「・・・たとえばある外装パネル１０６に対してアイコン、フォント、画面の配色、背景画像、時計表示等のコンテンツセットの感覚表現が統一している、あるいは感覚表現が互いに適しているものは、必ずしも一組みである必要はない。」と記載されることから、本願発明の「外装パネルの外観に他の外装パネルの外観よりもデザインが統一するものとして予め用意された」は外装パネルの外観（デザイン）に適するものとして予め用意されていることを意味する程度であって、引用発明の「ハウジングカバーの外観と調和した装置本体で表示される文字や画像のデザインに関するデータ」も予め用意されたものであることは自明のことであるから、引用発明の「ハウジングカバー（外装パネル）のデザインと調和した」と本願発明の「外装パネルの外観に他の外装パネルの外観よりもデザインが統一するものとして予め用意された」とは実質的な差異を有するものではない。
　そして、引用発明の「ハウジングカバー（外装パネル）のデザインと調和した装置本体で表示される文字や画像のデザインに関するデータ」を「パネル別デザイン統一用データ」と称し、引用発明の「受信手段」を「パネル別デザイン統一用データ受信手段」と称することは適宜なし得ることである。
　したがって、上記相違点（２）は引用発明に基づいて当業者が容易になし得ることである。
　さらに、上記相違点（３）について検討すると、本願発明の「前記装置本体のデザインをこの装置本体に装着される外装パネルに適合させるデザイン統一手段」は、本願明細書【００６４】に「・・・アイコン、フォント、画面の配色、背景画像、時計表示等の設定を行うことになる・・・」と記載されるように、文字や画像の表示を設定するものであるから、引用発明の「文字や画像を表示する手段」は、「ハウジングカバーのデザインと調和した装置本体で表示される文字や画像のデザインに関するデータを用いて文字や画像を表示する」ことによって「ハウジングカバー（外装パネル）」と調和することと実質的な差異はなく、引用発明の「表示手段」を本願発明の「デザイン統一手段」と称することは適宜なし得ることである。
　そして、本願発明の「パネル別デザイン統一用データを用いて」と引用発明の「ハウジングカバーの外観と調和した装置本体で表示される文字や画像のデザインに関するデータを用いて」の差異については、上記相違点（２）の検討と同様である。
　したがって、上記相違点（３）は引用発明に基づいて当業者が容易になし得ることである。
　そして、本願発明の作用効果も、引用発明から当業者が予測できる範囲のものである。
　
４．むすび
　以上のとおり、本願発明は、上記引用例に記載された発明に基づいて、当業者が容易に発明をすることができたものと認められるから、特許法第２９条第２項の規定により特許を受けることができない。
　
　よって、結論のとおり審決する。